(57)【要約】      （修正有）【課題】酸素イオン伝導性を有する固体電解質を用いた酸素濃度計測装置を用いる場合において、水素およびヨウ素種の影響を小さくする酸素濃度計測装置を提供する。【解決手段】実施形態によれば、酸素濃度計測装置は、原子炉格納容器１１内に配置された酸素イオン伝導性の固体電解質の隔膜１５と、隔膜１５の第１の面１５ａおよび第２の面１５ｂにそれぞれ接触して配置された第１および第２の電極１６、１７と、原子炉格納容器１１内のガス中の水素とヨウ素種とを反応させてヨウ化水素を生成するヨウ化水素生成部４１と、ヨウ化水素生成部４１から流出したガス中のヨウ化水素を捕集するヨウ化水素フィルタ４０と、を有する。ヨウ化水素フィルタ４０を通過したガスは、第１の面１５ａに直接接し、かつ、第２の面１５ｂに直接接しない。【選択図】図１
2020091166.tif 000002
【特許請求の範囲】
【請求項１】
原子炉格納容器内のガスの酸素濃度を計測する酸素濃度計測装置であって、
前記原子炉格納容器内に配置された酸素イオン伝導性の固体電解質の隔膜と、
前記隔膜の第１の面およびその第１の面の反対側の第２の面にそれぞれ接触して配置された第１および第２の電極と、
前記原子炉格納容器内に配置されて前記原子炉格納容器内のガス中の水素とヨウ素種とを反応させてヨウ化水素を生成するヨウ化水素生成部と、
前記ヨウ化水素生成部から流出したガス中のヨウ化水素を捕集するヨウ化水素フィルタと、
を有し、
前記ヨウ化水素フィルタを通過したガスが、前記隔膜の前記第１の面に直接接し、かつ、前記隔膜の前記第２の面に直接接しないように構成されていること、を特徴とする酸素濃度計測装置。
【請求項２】
前記ヨウ化水素生成部を加熱するヨウ化水素生成部ヒータをさらに有すること、を特徴とする請求項１に記載の酸素濃度計測装置。
【請求項３】
前記ヨウ化水素生成部の温度を計測するヨウ化水素生成部温度計をさらに有すること、を特徴とする請求項２に記載の酸素濃度計測装置。
【請求項４】
前記ヨウ化水素生成部温度計の温度が所定の範囲になるように前記ヨウ化水素生成部ヒータを制御するヨウ化水素生成部温度制御部をさらに有すること、を特徴とする請求項３に記載の酸素濃度計測装置。
【請求項５】
前記隔膜を加熱する隔膜ヒータをさらに有すること、を特徴とする請求項１ないし請求項４のいずれか一項に記載の酸素濃度計測装置。
【請求項６】
前記第１の電極の少なくとも一部および前記隔膜の前記第１の面の少なくとも一部を覆う検査室を形成し、前記ヨウ化水素フィルタを通過したガスが通過して前記検査室に流入する拡散孔が形成された検査室カバーと、
前記第２の電極が前記第１の電極に対して正電圧となるように前記第１および第２の電極に電圧を印加する直流電源と、
前記第１および第２の電極に流れる電流を測定する電流計と、
前記第１および第２の電極に印加される電圧を測定する電圧計と、
をさらに有すること、を特徴とする請求項１ないし請求項５のいずれか一項に記載の酸素濃度計測装置。
【請求項７】
前記第１の電極と前記第２の電極の間の電圧を測定する電圧計をさらに有し、
酸素濃度が制御された基準ガスを収容する基準ガス室が形成され、前記基準ガス室内の前記基準ガスが、前記隔膜の前記第２の面の少なくとも一部と直接接してかつ前記隔膜の前記第１の面に直接接しないように構成されていること、を特徴とする請求項１ないし請求項５のいずれか一項に記載の酸素濃度計測装置。
【請求項８】
前記ヨウ化水素フィルタは、活性炭、塩基性レンガ、アルミナ、ゼオライトの少なくとも一つを含むことを特徴とする請求項１ないし請求項７のいずれか一項に記載の酸素濃度計測装置。
【請求項９】
前記ヨウ化水素生成部は、多孔質体が充填されていることを特徴とする請求項１ないし請求項８のいずれか一項に記載の酸素濃度計測装置。
【請求項１０】
前記多孔質体は、塩基性レンガ、アルミナ、ゼオライトのいずれかを含むことを特徴とする請求項９に記載の酸素濃度計測装置。
【請求項１１】
前記多孔質体は、白金族原子を含む充填材料が充填されていること、を特徴とする請求項９に記載の酸素濃度計測装置。
【請求項１２】
原子炉格納容器と、
前記原子炉格納容器内のガスの酸素濃度を計測する酸素濃度計測装置と、
を備えた原子炉施設であって、
前記酸素濃度計測装置は、
前記原子炉格納容器内に配置された酸素イオン伝導性の固体電解質の隔膜と、
前記隔膜の第１の面およびその第１の面の反対側の第２の面にそれぞれ接触して配置された第１および第２の電極と、
前記原子炉格納容器内に配置されて前記原子炉格納容器内のガス中の水素とヨウ素種とを反応させてヨウ化水素を生成するヨウ化水素生成部と、
前記ヨウ化水素生成部から流出したガス中のヨウ化水素を捕集するヨウ化水素フィルタと、
を有し、
前記ヨウ化水素フィルタを通過したガスが、前記隔膜の前記第１の面に直接接し、かつ、前記隔膜の前記第２の面に直接接しないように構成されていること、を特徴とする原子炉施設。
【発明の詳細な説明】
【技術分野】
【０００１】
本発明の実施形態は、酸素濃度計測装置および原子炉施設に関する。
【背景技術】
【０００２】
発電用原子炉施設には、過酷事故発生時に原子炉および施設の安全性を確保するための機器があり、事故の状況把握および収束に向けた対応が採れるような機構を有している。
【０００３】
特に東日本大震災に伴う福島第一原子力発電所での過酷事故では、水素と酸素の反応による水素爆発により原子炉施設を損なう事象が発生しており水素爆発防止のための気相濃度監視が求められている。
【０００４】
従来の原子炉施設において、格納容器雰囲気モニタにより気相中の水素および酸素濃度などを測定している。当該機器は原子炉格納容器外部に設置されており、原子炉格納容器内部の気相をブロワにより当該機器まで移送し、冷却器などを用いて湿度、温度、圧力などを調整し測定を実施している。
【先行技術文献】
【特許文献】
【０００５】
【特許文献１】特公昭６４−４１４５号公報
【発明の概要】
【発明が解決しようとする課題】
【０００６】
しかしながら、東日本大震災に伴う福島第一原子力発電所での事故より、既設施設のみでは十分な対応が採れないことが明らかになっている。従来の原子炉施設において、過酷事故発生時に交流電源を失った場合は、格納容器雰囲気モニタを動作させることができず、常時監視を達成できない。特に、福島第一原子力発電所での過酷事故では、交流電源を失い監視ができない状態となり、水素と酸素の反応による水素爆発により原子炉施設を損なう事象が発生しており、水素爆発防止のための気相濃度監視が重要である。
【０００７】
そこで、交流電源を必要とするガスの移送や除湿、冷却、降圧などの調整等を行わず、過酷事故時の格納容器内の気相組成を直接測定するシステムが求められている。
【０００８】
特に酸素は、水素と共存することで燃焼、爆発を引き起こし格納容器の健全性に大きな影響を与える事象を引き起こす可能性があるため、その測定はアクシデントマネジメント上、重要な位置づけとなる。
【０００９】
このような状況に対応可能な先行技術として酸素イオン伝導性を有する固体電解質を用いた限界電流式酸素濃度計などの適応が考えられる。限界電流式酸素濃度計では、その電極材および動作温度を調整することで水素の燃焼速度を十分に小さくすることが可能となり、格納容器内の酸素濃度の測定が可能となる。一方で、固体電解質が酸素イオン伝導性を発揮するためには一般的に４００℃以上の高温が必要であり、水素燃焼による酸素の微小な消費が避けられなかった。また、４００℃程度となった場合、環境中のヨウ化メチルの熱分解により炭素が発生し、発生した炭素により電極部が被覆されることによって酸素濃度計の機能を損なう可能性があった。
【００１０】
本発明の実施形態が解決しようとする課題は、原子炉施設内の酸素濃度を計測するにあたり、酸素イオン伝導性を有する固体電解質を用いた限界電流式酸素濃度計などの酸素濃度計測装置を用いる場合において、水素およびヨウ素種の影響を十分に小さくすることである。
【課題を解決するための手段】
【００１１】
実施形態に係る酸素濃度計測装置は、原子炉格納容器内のガスの酸素濃度を計測する酸素濃度計測装置であって、前記原子炉格納容器内に配置された酸素イオン伝導性の固体電解質の隔膜と、前記隔膜の第１の面およびその第１の面の反対側の第２の面にそれぞれ接触して配置された第１および第２の電極と、前記原子炉格納容器内に配置されて前記原子炉格納容器内のガス中の水素とヨウ素種とを反応させてヨウ化水素を生成するヨウ化水素生成部と、前記ヨウ化水素生成部から流出したガス中のヨウ化水素を捕集するヨウ化水素フィルタと、を有し、前記ヨウ化水素フィルタを通過したガスが、前記隔膜の前記第１の面に直接接し、かつ、前記隔膜の前記第２の面に直接接しないように構成されていること、を特徴とする。
【００１２】
実施形態に係る原子炉施設は、原子炉格納容器と、前記原子炉格納容器内のガスの酸素濃度を計測する酸素濃度計測装置と、を備えた原子炉施設であって、前記酸素濃度計測装置は、前記原子炉格納容器内に配置された酸素イオン伝導性の固体電解質の隔膜と、前記隔膜の第１の面およびその第１の面の反対側の第２の面にそれぞれ接触して配置された第１および第２の電極と、前記原子炉格納容器内に配置されて前記原子炉格納容器内のガス中の水素とヨウ素種とを反応させてヨウ化水素を生成するヨウ化水素生成部と、前記ヨウ化水素生成部から流出したガス中のヨウ化水素を捕集するヨウ化水素フィルタと、を有し、前記ヨウ化水素フィルタを通過したガスが、前記隔膜の前記第１の面に直接接し、かつ、前記隔膜の前記第２の面に直接接しないように構成されていること、を特徴とする。
【発明の効果】
【００１３】
本発明の実施形態によれば、原子炉施設内の酸素濃度を計測するにあたり、酸素イオン伝導性を有する固体電解質を用いた限界電流式酸素濃度計などの酸素濃度計測装置を用いる場合において、水素およびヨウ素種の影響を十分に小さくすることができる。
【図面の簡単な説明】
【００１４】
【図１】本発明の第１の実施形態に係る酸素濃度計測装置の構成を示す断面図。
【図２】本発明の第１の実施形態に係る酸素濃度計測装置の設置状況を示す沸騰水型原子炉施設の模式的立断面図。
【図３】本発明の第２の実施形態に係る酸素濃度計測装置の構成を示す断面図。
【図４】本発明の第３の実施形態に係る酸素濃度計測装置の構成を示す断面図。
【図５】本発明の第４の実施形態に係る酸素濃度計測装置の構成を示す断面図。
【発明を実施するための形態】
【００１５】
以下、本発明の実施形態について、図面を参照しながら説明する。ここで、互いに同一または類似の部分には共通の符号を付して、重複説明は省略する。
【００１６】
［第１の実施形態］
図１は、本発明の第１の実施形態に係る酸素濃度計測装置の構成を示す断面図である。図２は、第１の実施形態に係る酸素濃度計測装置の設置状況を示す沸騰水型原子炉施設の模式的立断面図である。
【００１７】
この第１の実施形態の酸素濃度計測装置は、酸素ポンピングを利用した限界電流式酸素濃度計測装置である。
【００１８】
この酸素濃度計測装置は、原子炉格納容器１１内に設置された酸素センサユニット１２と、原子炉格納容器１１外の制御室（図示せず）内に設置された制御・監視部１３とを有する。酸素センサユニット１２と制御・監視部１３とは、ケーブル１４で電気的に接続され、ケーブル１４は貫通部１４ａで原子炉格納容器１１の壁を貫通している。
【００１９】
図２に示すように、沸騰水型原子炉施設においては、原子炉格納容器１１は、ドライウェル９０と、ウェットウェル９１とを有する。ドライウェル９０とウェットウェル９１とはベント管９２によって接続されている。ドライウェル９０内に原子炉圧力容器９３が配置されている。ウェットウェル９１内に圧力抑制プール９４が収容されている。酸素センサユニット１２は、たとえば、ドライウェル９０の上部およびウェットウェル９１の上部に配置されている。
【００２０】
図１に示すように、酸素センサユニット１２は、第１の面１５ａおよび第２の面１５ｂを有する酸素イオン伝導性の隔膜１５を備えている。隔膜１５の第１の面１５ａに第１の電極１６が取り付けられ、隔膜１５の第２の面１５ｂに第２の電極１７が取り付けられている。第１の電極１６の全体、および隔膜１５の第１の面１５ａの少なくとも一部を覆うように検査室カバー１８が取り付けられ、第１の電極１６および隔膜１５の第１の面１５ａを覆う検査室１９が形成されている。隔膜１５の第２の面１５ｂおよび第２の電極１７は、検査室１９と直接接していない。検査室カバー１８には拡散孔２０が形成されている。
【００２１】
制御・監視部１３は、直流電源２５と、電流計２６と、電圧計２７とを含む。直流電源２５は第１の電極１６および第２の電極１７に接続され、第１の電極１６側が負電位となり、第２の電極１７が正電位となるように電圧が印加される。電流計２６は第１の電極１６および第２の電極１７に流れる電流を計測し、電圧計２７は、第１の電極１６と第２の電極１７に印加される電圧を計測するように接続されている。
【００２２】
酸素センサユニット１２は、隔膜１５を加熱するための隔膜ヒータ３０と、隔膜１５の温度を計測する隔膜温度計３１とを有する。制御・監視部１３は、隔膜ヒータ３０に電力を供給する隔膜ヒータ電源３５と、隔膜１５の温度を所定の範囲に制御する隔膜温度制御部３６とを有する。
【００２３】
検査室１９の外側で拡散孔２０を覆うようにヨウ化水素フィルタ４０が配置され、ヨウ化水素フィルタ４０に隣接して拡散孔２０の反対側にヨウ化水素生成部４１が形成されている。ヨウ化水素生成部４１には、ヨウ化水素生成部４１を加熱するためのヨウ化水素生成部ヒータ４２と、ヨウ化水素生成部４１の温度を計測するヨウ化水素生成部温度計４３が取り付けられている。制御・監視部１３は、ヨウ化水素生成部ヒータ４２に電力を供給するヨウ化水素生成部ヒータ電源４５と、ヨウ化水素生成部４１の温度を所定の範囲に制御するヨウ化水素生成部温度制御部４６とを有する。
【００２４】
この酸素濃度計測装置の計測対象となる原子炉格納容器１１内のガスＧ１は、ヨウ化水素生成部４１内に流入する。ヨウ化水素生成部４１内で、ガス中のヨウ素およびヨウ化水素以外のヨウ素種がヨウ化水素に変化する。ヨウ化水素生成部４１内を通ったガスＧ２は、ヨウ化水素フィルタ４０を通り、その時、ガス中のヨウ化水素が捕集（たとえば吸着）され、残りのガスＧ３が拡散孔２０を通って検査室１９内に流入する。
【００２５】
検査室１９内のガスのうちの酸素ガスは第１の電極１６に接触することで酸素イオンに変化し、酸素イオンが隔膜１５内を第２の電極１７に向かって移動する（図中矢印ａ）。酸素イオンは第２の電極１７で酸素イオンから酸素ガスに再度変化する。この際に生じる電気信号を測定することで酸素濃度もしくは酸素分圧を測定することが可能である。
【００２６】
隔膜１５は、少なくとも５２５℃以下で酸素イオン伝導性を有する酸素イオン伝導型の固体電解質である。隔膜１５の材料の例としては、イットリア安定化ジルコニア（ＹＳＺ）、スカンジア安定化ジルコニア（ＳｃＳＺ）などのジルコニア系材料に加え、ランタンストロンチウムガレートなどのぺロブスカイト型の酸素イオン伝導体、ガドリニウムドープセリア（ＧＤＣ）などのセリア系材料などが挙げられる。なお、５２５℃は、大気圧、空気環境時（酸素濃度約２０％）での水素の自然燃焼開始温度である。
【００２７】
第１および第２の電極１６、１７に用いる材料は、一般的に導体として用いられる金属材料や固体酸化物型燃料電池（ＳＯＦＣ）に用いられる酸化物電極、酸化物と金属の複合材料であるサーメット材料を使用可能である。
【００２８】
ヨウ化水素生成部４１は、原子炉格納容器１１内のガスＧ１をヨウ化水素生成部ヒータ４２によって２００℃〜４００℃に温めるための空間を有している。なお、下限の２００℃は、事故時に想定される格納容器内雰囲気温度より有意に高く、格納容器内温度によらずヨウ化水素の発生速度を制御できる温度である。また、上限の４００℃は、隔膜１５での酸素濃度検知に影響を与えない上限温度である。
【００２９】
ヨウ化水素フィルタ４０は、ヨウ化水素を吸着するための無機物を主成分とする多孔質体を充填したものであり、その際の多孔質体の気孔率は好適には０．４〜０．７６程度である。さらに好適には多孔質体は塩基性もしくは両性を有する多孔質体であることが望ましく、具体的にはＭｇＯを主成分とする塩基性レンガ、アルミナ、アルカリ金属もしくはアルカリ土類金属で修飾した活性炭およびゼオライトが挙げられる。また、銀等の金属を充填することも可能であるが、純金属のまま充填するとヨウ化水素と金属が反応し水素が発生するため、ゼオライトに修飾して用いる。
【００３０】
以上説明したように、第１の実施形態によれば、限界電流式酸素濃度計を用いて原子炉格納容器１１内の酸素濃度を計測する場合において、原子炉格納容器１１内のガス中に含まれる水素およびヨウ素種をヨウ化水素生成部４１でヨウ化水素に変換し、ヨウ化水素フィルタ４０で捕集する。これにより、限界電流式酸素濃度計における水素およびヨウ素種による悪影響を十分に小さくすることができる。
【００３１】
［第２の実施形態］
図３は、本発明の第２の実施形態に係る酸素濃度計測装置の構成を示す断面図である。この第２の実施形態は第１の実施形態の変形であって、ヨウ化水素生成部４１に、無機物を主成分とする多孔質体５０が充填されている。多孔質体５０の気孔率は０．４〜０．７６であることが望ましい。さらに好適には多孔質体は、塩基性もしくは両性を有する多孔質体であることが望ましく、具体的にはＭｇＯを主成分とする塩基性レンガ、アルミナ、アルカリ金属もしくはアルカリ土類金属で修飾した活性炭およびゼオライトが挙げられる。
【００３２】
上記以外の構成は第１の実施形態と同様である。
【００３３】
この第２の実施形態によれば、ヨウ化水素生成部４１に多孔質体５０を充填し、ヨウ化水素生成部４１の比熱容量およびガスとの接触面積を増加させることで、ヨウ化水素生成部４１を通過するガスをより効率的に加熱でき、ヨウ化水素生成部４１の容積を減少させることができる。また、第１の実施形態と同様の効果を得ることができる。
【００３４】
［第３の実施形態］
図４は、本発明の第３の実施形態に係る酸素濃度計測装置の構成を示す断面図である。この第３の実施形態は第１の実施形態の変形であって、ヨウ化水素生成部４１に、無機物を主成分とする触媒５１を充填した構造を持つ。触媒５１は、無機酸化物からなるハニカムまたは球状もしくは柱状ペレットに白金族原子を分散させたものからなる。その際の白金族の担持量は触媒全重量に対して０．１〜５重量％であることが望ましい。
【００３５】
この第３の実施形態によれば、ヨウ化水素生成部４１に触媒５１を充填し、水素とヨウ素のヨウ化水素化のための活性化エネルギーを低下させることで、反応に必要な温度および時間が減少し、ヨウ化水素生成部４１の容積を減少させることが可能である。また、第１の実施形態と同様の効果を得ることができる。
【００３６】
［第４の実施形態］
図５は、本発明の第４の実施形態に係る酸素濃度計測装置の構成を示す断面図である。上述の第１ないし第３の実施形態は限界電流式酸素濃度計測装置であるが、この第４の実施形態は濃淡式酸素濃度計測装置である。
【００３７】
この酸素濃度計測装置は、原子炉格納容器１１内に設置された酸素センサユニット１２と、原子炉格納容器１１外の制御室（図示せず）内に設置された制御・監視部１３とを有する。酸素センサユニット１２と制御・監視部１３とは、ケーブル１４で電気的に接続され、ケーブル１４は貫通部１４ａで原子炉格納容器１１の壁を貫通している。
【００３８】
酸素センサユニット１２は、第１の面１５ａおよび第２の面１５ｂを有する酸素イオン伝導性の隔膜１５を備えている。隔膜１５の第１の面１５ａに第１の電極１６が取り付けられ、隔膜１５の第２の面１５ｂに第２の電極１７が取り付けられている。
【００３９】
隔膜１５の第２の面１５ｂおよび第２の電極１７は、基準ガス室６０に接するように基準ガス室カバー６１が取り付けられている。基準ガス室カバー６１はたとえば基準ガスが流れる配管であって、基準ガス室６０には酸素濃度が既知の基準ガスが保持されている。ここでは、基準ガスの酸素濃度は、酸素濃度測定対象である原子炉格納容器１１内の酸素濃度よりも低いものとする。隔膜１５の第１の面１５ａおよび第１の電極１６は、基準ガス室６０に直接接していない。
【００４０】
制御・監視部１３は電圧計６３を備え、第１の電極１６と第２の電極１７との間の電圧を電圧計６３で測定できるように接続されている。
【００４１】
隔膜１５、第１の電極１６、第２の電極１７の構成は第１の実施形態と同様である。さらに、ヨウ化水素フィルタ４０、ヨウ化水素生成部４１、ヨウ化水素生成部ヒータ４２、ヨウ化水素生成部温度計４３、ヨウ化水素生成部ヒータ電源４５、ヨウ化水素生成部温度制御部４６の構成も、第１の実施形態と同様である。ただし、ヨウ化水素フィルタ４０は、隔膜１５の第１の面１５ａおよび第１の電極１６の少なくとも一部を覆うように配置され、隔膜１５の第２の面１５ｂおよび第２の電極１７とは直接接していない。図５では隔膜ヒータ３０、隔膜温度計３１、隔膜ヒータ電源３５および隔膜温度制御部３６（図１）が示されていないが、第１の実施形態と同様にこれらを配置してもよい。
【００４２】
この第４の実施形態では、原子炉格納容器１１内のガスＧ１は、ヨウ化水素生成部４１内に流入する。ヨウ化水素生成部４１内で、ガス中のヨウ素およびヨウ化水素以外のヨウ素種がヨウ化水素に変化する。ヨウ化水素生成部４１内を通ったガスＧ２は、ヨウ化水素フィルタ４０を通り、その時、ガス中のヨウ化水素が捕集され、残りのガスのうちの酸素ガスは第１の電極１６に接触することで酸素イオンに変化し、酸素イオンが隔膜１５内を第２の電極１７に向かって移動する（図中矢印ａ）。酸素イオンは第２の電極１７で酸素イオンから酸素ガスに再度変化する。
【００４３】
酸素イオンの流れによって第１の電極１６に正電圧、第２の電極１７に負電圧が生じるので、この電圧を電圧計６３で測定する。この電圧は、原子炉格納容器１１内のガスＧ１の酸素濃度と基準ガス室６０内のガスの酸素濃度との差によって変化するので、この電圧から原子炉格納容器１１内のガスＧ１の酸素濃度を測定することができる。
【００４４】
以上説明したように、第４の実施形態によれば、濃淡式酸素濃度計を用いて原子炉格納容器１１内の酸素濃度を計測する場合において、原子炉格納容器１１内のガス中に含まれる水素およびヨウ素種をヨウ化水素生成部４１でヨウ化水素に変換し、ヨウ化水素フィルタ４０で捕集する。これにより、濃淡式酸素濃度計における水素およびヨウ素種による悪影響を十分に小さくすることができる。
【００４５】
［他の実施形態］
上記第４の実施形態では、ヨウ化水素生成部４１の構成は第１の実施形態と同様としたが、他の例として、第４の実施形態のヨウ化水素生成部４１の構成を第２または第３の実施形態と同様なものとしてもよい。
【００４６】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４７】
１１…原子炉格納容器、  １２…酸素センサユニット、  １３…制御・監視部、  １４…ケーブル、  １４ａ…貫通部、  １５…隔膜、  １５ａ…第１の面、  １５ｂ…第２の面、  １６…第１の電極、  １７…第２の電極、  １８…検査室カバー、  １９…検査室、  ２０…拡散孔、  ２５…直流電源、  ２６…電流計、  ２７…電圧計、  ３０…隔膜ヒータ、  ３１…隔膜温度計、  ３５…隔膜ヒータ電源、  ３６…隔膜温度制御部、  ４０…ヨウ化水素フィルタ、  ４１…ヨウ化水素生成部、  ４２…ヨウ化水素生成部ヒータ、  ４３…ヨウ化水素生成部温度計、  ４５…ヨウ化水素生成部ヒータ電源、  ４６…ヨウ化水素生成部温度制御部、  ５０…多孔質体、  ５１…触媒、  ６０…基準ガス室、  ６１…基準ガス室カバー、  ６３…電圧計、  ９０…ドライウェル、  ９１…ウェットウェル、  ９２…ベント管、  ９３…原子炉圧力容器、  ９４…圧力抑制プール
【図１】
2020091166.tif 000003
【図２】
2020091166.tif 000004
【図３】
2020091166.tif 000005
【図４】
2020091166.tif 000006
【図５】
2020091166.tif 000007